(57)【要約】【課題】交換可能であり、故障時の対応や製造が容易で無駄の少ないラッチ機構を有する収納箱を提供する。【解決手段】金属製の本体２と蓋４を備え、これらを閉状態で固定可能であるラッチ１０を有するスチールケース１において、ラッチ１０は、互いに係止可能な鉤部２４あるいはループ５８を有する上ラッチ部材１２及び下ラッチ部材１４を備えており、下ラッチ部材１４を、本体２に対してネジ止めし、上ラッチ部材１２を、蓋４に対してネジ止めする。【選択図】図３
2013086834.tif 000002
【特許請求の範囲】
【請求項１】
金属製の本体と蓋を備え、これらを閉状態で固定可能であるラッチを有する収納箱において、
前記ラッチは、互いに係止可能な掛部を有する本体側ラッチ部材及び蓋側ラッチ部材を備えており、
前記本体側ラッチ部材は、本体に対してネジ止めされており、
前記蓋側ラッチ部材は、蓋に対してネジ止めされている
ことを特徴とする収納箱。
【請求項２】
前記本体又は前記蓋には、前記本体側ラッチ部材ないし前記蓋側ラッチ部材における互いの接近方向に沿うスライド溝が形成されており、
前記本体側ラッチ部材又は前記蓋側ラッチ部材は、前記スライド溝の端部に係止された状態でネジ止めされる
ことを特徴とする請求項１に記載の収納箱。
【請求項３】
前記本体及び前記蓋には、前記本体側ラッチ部材ないし前記蓋側ラッチ部材における互いの接近方向に沿うスライド溝がそれぞれ形成されており、
前記本体側ラッチ部材及び前記蓋側ラッチ部材は、前記スライド溝の端部に係止された状態でネジ止めされる
ことを特徴とする請求項１に記載の収納箱。
【請求項４】
前記本体側ラッチ部材及び前記蓋側ラッチ部材は、前記スライド溝の接近側の各端部又は離隔側の各端部に配置される
ことを特徴とする請求項３に記載の収納箱。
【請求項５】
前記溝の周囲は、前記本体側ラッチ部材又は前記蓋側ラッチ部材側へ盛り上がる盛上部を有しており、
前記本体側ラッチ部材又は前記蓋側ラッチ部材は、前記溝側へ突出し、前記盛上部に配置される突出部を備えている
ことを特徴とする請求項２ないし請求項４の何れかに記載の収納箱。
【発明の詳細な説明】
【技術分野】
【０００１】
本発明は、動力工具等を収納する収納箱に関し、更に詳しくは金属製の本体を有する蓋付きの収納箱に関する。
【背景技術】
【０００２】
金属製の収納箱において、下記特許文献１に示されるように、蓋を閉じた状態でロックするロック金具を有するものが知られている。ロック金具は、蓋に固定されており、ケースの側板に固定された受け金具に係止することでロック状態となる（ラッチ機構）。
一般に、これらロック金具や受け金具は、脱落防止の観点から、リベット止めあるいは溶接によって固定されている。
【先行技術文献】
【特許文献】
【０００３】
【特許文献１】特許第３２３６９５５号公報
【発明の概要】
【発明が解決しようとする課題】
【０００４】
このような収納箱では、ロック金具や受け金具がリベット止めあるいは溶接によって固定されているため、これらのみの故障時にこれらのみを交換することができず、収納箱全体の交換による対応となり、煩雑であるし、本体等が無駄になる可能性がある。
【０００５】
そこで、本発明は、交換可能であり、故障時の対応や製造が容易で無駄の少ないラッチ機構を有する収納箱を提供することを主な目的とするものである。
【課題を解決するための手段】
【０００６】
上記目的を達成するために、請求項１に記載の発明は、金属製の本体と蓋を備え、これらを閉状態で固定可能であるラッチを有する収納箱において、前記ラッチは、互いに係止可能な掛部を有する本体側ラッチ部材及び蓋側ラッチ部材を備えており、前記本体側ラッチ部材は、本体に対してネジ止めされており、前記蓋側ラッチ部材は、蓋に対してネジ止めされていることを特徴とするものである。
請求項２に記載の発明は、上記発明において、前記本体又は前記蓋には、前記本体側ラッチ部材ないし前記蓋側ラッチ部材における互いの接近方向に沿うスライド溝が形成されており、前記本体側ラッチ部材又は前記蓋側ラッチ部材は、前記スライド溝の端部に係止された状態でネジ止めされることを特徴とするものである。
請求項３に記載の発明は、上記発明において、前記本体及び前記蓋には、前記本体側ラッチ部材ないし前記蓋側ラッチ部材における互いの接近方向に沿うスライド溝がそれぞれ形成されており、前記本体側ラッチ部材及び前記蓋側ラッチ部材は、前記スライド溝の端部に係止された状態でネジ止めされることを特徴とするものである。
請求項４に記載の発明は、上記発明において、前記本体側ラッチ部材及び前記蓋側ラッチ部材は、前記スライド溝の接近側の各端部又は離隔側の各端部に配置されることを特徴とするものである。
請求項５に記載の発明は、上記発明において、前記溝の周囲は、前記本体側ラッチ部材又は前記蓋側ラッチ部材側へ盛り上がる盛上部を有しており、前記本体側ラッチ部材又は前記蓋側ラッチ部材は、前記溝側へ突出し、前記盛上部に配置される突出部を備えていることを特徴とするものである。
【発明の効果】
【０００７】
本発明の内、請求項１に記載の発明によれば、ラッチ部材をネジ止めするため、本体や蓋はそのままでラッチ部材を交換することができ、本体や蓋が無駄にならないし、故障時の対応が容易となる収納箱を提供することができる。
又、請求項２に記載の発明によれば、ラッチ部材の一方がスライド溝の端部に配置されてネジ止めされるため、上記効果に加え、特に金属製の本体を有する重い収納箱における運搬時のネジの緩み等によるラッチの脱落を防止することができる。
更に、請求項３に記載の発明によれば、双方のラッチ部材がスライド溝の端部に配置されるため、上記効果に加え、更にラッチの脱落の可能性を低くすることができる。
又更に、請求項４に記載の発明によれば、双方のラッチ部材が固定時にスライド溝の互いに逆となる端部に配置されるため、上記効果に加え、より一層ラッチの脱落の可能性を低くすることができる。
加えて、請求項５に記載の発明によれば、ラッチ部材の突出部と取付部の盛上部を合わせるので、上記効果に加えて、ラッチ部材を美観ないし機能発揮に適した位置に設置することができる。
【図面の簡単な説明】
【０００８】
【図１】本発明に係るスチールケースの斜視図である。
【図２】図１におけるラッチ周辺の拡大図である。
【図３】図２の一部分解図である。
【図４】図３における上ラッチ部材の（ａ）前面図，（ｂ）（ａ）のＡ−Ａ線断面図，（ｃ）（ａ）のＢ−Ｂ線断面図である。
【図５】図３における下ラッチ部材の（ａ）前面図，（ｂ）（ａ）のＣ−Ｃ線断面図，（ｃ）（ａ）のＤ−Ｄ線断面図である。
【図６】図３における下取付部周辺の（ａ）前面図，（ｂ）（ａ）のＥ−Ｅ線断面図，（ｃ）（ａ）のＦ−Ｆ線断面図である。
【発明を実施するための形態】
【０００９】
以下、本発明の実施の形態を図面に基づいて説明する。
図１は、収納箱の一例であるスチールケース１の斜視図である。
スチールケース１は、シャーレンチを始めとする動力工具等を収納可能であって、スチール板を組み合わせて形成された箱状の本体２と、本体２と同様に形成された蓋４を備える。
本体２の前面には、取手６が、その両端を受け入れる座金８，８を介して取り付けられている。
そして、取手６の両側方には、ラッチ１０，１０が配置されている。
【００１０】
図２は、一方のラッチ１０ないしその周辺の拡大図であり、図３は、図２の分解図である。
一方のラッチ１０は、他方のラッチ１０と同様である。
ラッチ１０は、蓋側ラッチ部材としての上ラッチ部材１２と、本体側ラッチ部材としての下ラッチ部材１４と、ネジ１６，１６・・を含む。なお、下ラッチ部材１４は、ループ付レバー１８を含む。
【００１１】
図４（ａ）は、上ラッチ部材１２の前面図であり、図４（ｂ）は、図４（ａ）のＡ−Ａ線断面図であり、図４（ｃ）は、図４（ａ）のＢ−Ｂ線断面図である。
上ラッチ部材１２は、上ベース２０と、上ベース２０に対して各基部２１以外が後方において平行となるように配置された上ネジ孔部２２，２２（突出部）と、上ベース２０下部から前方へ突出した鉤部２４（一方の掛部）と、上ベース２０下辺から下方へ突出した突片２６を含む。
各上ネジ孔部２２は、上ベース２０中央部両側の上窓３０，３０の間から、後方ないし側方にカーブする基部２１を連続させ、上窓３０の後側で側方へ延長させて配置されている。各上ネジ孔部２２の当該延長部分（先端側）には、上ネジ孔３２が設けられている。
【００１２】
図５（ａ）は、下ラッチ部材１４の前面図であり、図５（ｂ）は、図５（ａ）のＣ−Ｃ線断面図であり、図５（ｃ）は、図５（ａ）のＤ−Ｄ線断面図である。
下ラッチ部材１４は、下ベース４０と、下ベース４０に対して各基部４１以外（先端側）が後方において平行となるように配置された下ネジ孔部４２，４２（突出部）と、下ベース４０上部から前方へ突出したレバー取付部４４を含む。
各下ネジ孔部４２は、下ベース４０中央部両側の下窓５０，５０の間から、後方ないし側方にカーブする基部４１を連続させ、下窓５０の後側で側方へ延長させて配置されている。各下ネジ孔部４２の先端側には、下ネジ孔５２が設けられている。
又、レバー取付部４４の上部は、両側面と前面を有する形状となっており、これら三面内において上ラッチ部材１２の突片２６を受け入れ可能な大きさとなっている。
一方、レバー取付部４４の両側面下部には、横軸用孔５４，５４が１つずつ開けられている。各横軸用孔５４には、ループ付レバー１８取付用の横軸５６（図３等）が挿入される。
【００１３】
更に、ループ付レバー１８は、ノブ５７と、ノブ５７中央部に取り付けられたループ５８を有する。
ノブ５７の上部は、レバー取付部４４の両側面下部の間に入れられており、ノブ５７の上部とレバー取付部４４の両側面下部に横軸５６が通されて、ノブ５７が横軸５６の周りで回転可能となっている。
一方、ループ５８は、左右方向の下辺部（両側を残し途切れている）をノブ５７両側面の中央部に入れることで、下辺部の周りで回転可能に取り付けられている。
【００１４】
図６（ａ）は、下ラッチ部材１４を外した本体２の前面一部拡大図であり、図６（ｂ）は、図６（ａ）のＥ−Ｅ線断面図であり、図６（ｃ）は、図６（ａ）のＦ−Ｆ線断面図である。
本体２の前面の上部両側には、下ラッチ部材１４取付用の下取付部６０，６０がそれぞれ設けられる。
【００１５】
各下取付部６０は、上下方向の下スライド溝６１と左右方向の下入口溝６２を含む逆Ｔ字状の下溝６４と、下スライド溝６１の両側に設けられた前方への下盛上部６６，６６を有する。
下スライド溝６１は、上下方向に沿うように設けられており、下ラッチ部材１４がその上方の上ラッチ部材１２に接近可能な方向に沿うものとなっている。
下入口溝６２の横幅は、下ラッチ部材１４における一方の下ネジ孔部４２の先端から他方の下ネジ孔部４２の先端までの幅に相当する（当該幅より若干広い）大きさとなっている。
下盛上部６６，６６は、互いに左右対称となっている。各下盛上部６６は、下スライド溝６１の上辺延長線と下入口溝６２の側辺延長線に囲まれた領域内に収まっている。各下盛上部６６には、本体ネジ孔６８が開けられている。各下盛上部６６は、下ラッチ部材１４における下ネジ孔部４２の先端側（下ネジ孔５２周辺部）を含む平面と、下ベース４０（の下窓５０周辺部）を含む平面の間隔に相当する高さにおいて、本体２前面から前方へ盛り上がっている。なお、当該間隔の大きさあるいは下盛上部６６の盛上高さは、下ネジ孔部４２の肉厚と同等である。
【００１６】
又、蓋４において、下取付部６０と同様の上取付部７０が形成されている（図３）。
上取付部７０では、上溝７４が上スライド溝７１とその上側の上入口溝７２を含むＴ字状となる。又、上入口溝７２の横幅は、上ラッチ部材１４における上ネジ孔部２２，２２の両先端間幅に相当する大きさとなっている。更に、各上盛上部７６は、蓋ネジ孔７８を有しており、上ラッチ部材１２における上ネジ孔部２２前面と上ベース２０後面の間隔に相当する高さにおいて、蓋４前面から盛り上がっている。
【００１７】
そして、上ラッチ部材１２は、蓋４の上取付部７０に対し、次のようにして離脱可能に取り付けられる。
即ち、まず上ネジ孔部２２，２２を上入口溝７２に入れ、基部２１，２１が上スライド溝７１の上方に位置し、上ネジ孔部２２，２２先端側が各上盛上部７６の裏側上方に位置する状態とする。
次いで、上ベース２０等を引き下げ、基部２１，２１が上スライド溝７１を通ってその下辺が上スライド溝７１の下端に当たり、上ネジ孔部２２，２２先端側が各上盛上部７６の裏側に位置（上ネジ孔部２２前面が上盛上部７６裏面に接触）し、上ネジ孔３２が蓋ネジ孔７８と重なる状態とする。このとき、各上ネジ孔部２２の基部２１は、上スライド溝７１の下端部（下ラッチ部材１４へ接近する側の端部）に位置する。又、上溝７４周囲の各上盛上部７６は、上ベース２０後面と上ネジ孔部２２の前面により挟まれ、上ラッチ部材１２が係止される。
続いて、ネジ１６を上ネジ孔３２ないし蓋ネジ孔７８にねじ込む。
なお、上ラッチ部材１２が取り付けられると、上ベース２０の下辺が蓋４前面の下辺と上下方向において一致し、突片２６が蓋４前面の下辺から若干下方（及び前方）に飛び出る。
【００１８】
一方、下ラッチ部材１４は、本体２の下取付部６０に対し、上ラッチ部材１２と同様、次のようにして離脱可能に取り付けられる。
即ち、まず下ネジ孔部４２，４２を下入口溝６２に入れ、基部４１，４１が下スライド溝６１の下方に位置し、下ネジ孔部４２，４２先端側が各下盛上部６６の裏側下方に位置する状態とする。
次いで、下ベース４０等を引き上げ、基部４１，４１が下スライド溝６１を通ってその上辺が下スライド溝６１の上端に当たり、下ネジ孔部４２，４２先端側が各下盛上部６６の裏側に位置し、下ネジ孔５２が本体ネジ孔６８と重なる状態とする。このとき、各下ネジ孔部４２の基部４１は、下スライド溝６１の上端部（上ラッチ部材１２接近側の端部）に位置する。又、下溝６４周囲の各下盛上部６６は、下ベース４０後面と下ネジ孔部４２の前面により挟まれ、下ラッチ部材１４が係止される。
続いて、ネジ１６を下ネジ孔５２ないし本体ネジ孔６８にねじ込む。
なお、下ラッチ部材１４が取り付けられると、下ベース４０の上辺が本体２前面の上辺と上下方向において一致し、レバー取付部４４の上部が取付状態の上ラッチ部材１２の突片２６周辺の下方に位置する。
【００１９】
上ラッチ部材１２及び下ラッチ部材１４が取り付けられ、下ラッチ部材１４にループ付レバー１８が取り付けられると、これらはループ付レバー１８により互いに固定自在となる。
即ち、蓋４と本体２を近づけ合わせて閉状態とし、ループ５８を鉤部２４に掛けたうえで、ノブ５７を後方へ倒すと、ループ５８の下辺がその周りでの回転により下がることでループ５８（の上辺）が鉤部２４を下方へ押し、上ラッチ部材１２及び下ラッチ部材１４が固定される。
なお、蓋４と本体２が近づき合わせられる際、上ラッチ部材１２の突片２６が下ラッチ部材１４のレバー取付部４４の上部に案内されて入る。
そして、固定状態から、ノブ５７を前方へ起こすと、ループ５８の下辺が回転により上がってループ５８による鉤部２４の押付はなくなり、ループ５８を容易に鉤部２４から外すことができ、上ラッチ部材１２及び下ラッチ部材１４の固定は解除される。
【００２０】
このような固定により、蓋４は本体２に対して固定される。この場合において、万が一ネジ１６が外れても、ループ５８が鉤部２４を介して上ラッチ部材１２を下ラッチ部材１４側へ引き付けており、上ラッチ部材１２と下ラッチ部材１４が互いに引き合っている状態が保持されるため、固定状態（本体２と蓋４の閉状態）は維持される。
なお、上ラッチ部材１２や下ラッチ部材１４の引き付けは、蓋４の上スライド溝７１や本体２の下スライド溝６１に沿うように、又その末端部に上ベース２０（上ネジ孔部２２の基部２１）や下ベース４０（下ネジ孔部４２の基部４１）が配置されて行われる。
【００２１】
一方、上ラッチ部材１２や下ラッチ部材１４、あるいはネジ１６やループ付レバー１８について故障や汚損等が発生した場合には、次のようにして交換のために取り外すことが可能である。
即ち、ループ５８を鉤部２４から外し、ネジ１６をドライバー等により外して、上ラッチ部材１２，下ラッチ部材１４を、上スライド溝７１，下スライド溝６１から上入口溝７２，下入口溝６２へ案内して前方へ出す。
【００２２】
以上のスチールケース１では、ラッチ１０を構成する上ラッチ部材１２や下ラッチ部材１４がネジ１６により着脱自在に固定されているため、これらのみが故障した場合に本体２や蓋４ごと取り換える必要がなく、対応が容易であるし、無駄が少ない。
【００２３】
又、上取付部７０，下取付部６０において、上溝７４，下溝６４を設けたため、ラッチ１０につき溝を介してネジ止めすることができ、ラッチ１０の設置が溝により案内された状態で行われるので容易となる。
【００２４】
更に、上溝７４，下溝６４において、上ラッチ部材１２，下ラッチ部材１４を互いに近づく方向へ案内する上スライド溝７１，下スライド溝６１を設け、これらの溝の端部において上ラッチ部材１２，下ラッチ部材１４を係止した状態でネジ止めしたため、ラッチ１０が閉じられていればネジ１６が全て離脱したとしても、上ラッチ部材１２，下ラッチ部材１４を位置決めして本体２や蓋４の閉状態を保持することができ、不用意に本体２や蓋４が開いてしまう事態を防止することができる。
【００２５】
加えて、上ラッチ部材１２が後方へ突出する上ネジ孔部２２，２２を備え、下ラッチ部材１４が後方へ突出する下ネジ孔部４２，４２を備える一方、上取付部７０が前方へ突出する上盛上部７６を備え、下取付部６０が前方へ突出する下盛上部６６を備えるため、上ネジ孔部２２，２２と上盛上部７６を合わせた状態で上ラッチ部材１２を取り付け、下ネジ孔部４２，４２と下盛上部６６を合わせた状態で下ラッチ部材１４を取り付けることができ、上ラッチ部材１２や下ラッチ部材１４が所望の位置に容易に位置決めすることができ、これらと本体２や蓋４との隙間をなくしたり、これらの前面（上ベース２０の前面と下ベース４０の前面）を揃えたり、鉤部２４とループ５８のずれが所定値以上にならないよう精度を確保したりする等、美観や機能の向上に配慮することができる。
【００２６】
なお、本発明は上記形態に限定されず、次に示す変更例を有するものである。上取付部及び／又は下取付部に溝を設けずに、上ラッチ部材及び／又は下ラッチ部材をネジ止めしても良い。又、上溝及び／又は下溝につき、入口溝の外側にスライド溝を配置したり、入口溝のみとしてスライド溝を省略したり、スライド溝のみとしたりする等、形状や配置を適宜変更する。溝の一方のみにスライド溝を設けても、そのスライド溝に入っているラッチ部材が引き寄せられるため、ネジ離脱時の固定保持効果を奏する。又、上スライド溝の上端や下スライド溝の下端（上ラッチ部材ないし下ラッチ部材の離隔側）に上ラッチ部材や下ラッチ部材を配置してネジ止めしても良く、この場合でも端部に位置決めされるためネジ抜け時の固定維持効果を奏するし、双方とも離隔側とすれば、互いに逆方向に係止された状態でネジ止めされるため、より一層（双方とも接近側の端部に配置したときと同様に）固定維持効果を発揮させることができる。
【００２７】
本体の下取付部に対して下ラッチ部材を取り付ける際、本体を上下逆にして取付を行って良い。スチールケースの上下前後左右は、適宜入れ替えることができる。本体や蓋、あるいは各種部材やこれらの部分等の材質や数、大きさ、その比率等は、蓋を本体より大きくしたり、ネジ孔部を１個あるいは３個以上としたり、各ネジ孔部におけるネジ孔を複数設けたりする等、適宜変更することができ、本体・蓋の役割や名称も、左側本体及び右側本体とする等、適宜変更することができる。上ラッチ部材にループ付レバーを取り付けて下ラッチ部材に鉤部を取り付けたり、ループを鉤状のバーとしたり、固定されたループに移動するバーが挿入されて固定されるものとするする等、各ラッチ部材の配置や形状等を適宜変更する。ネジ孔部（突出部）にネジ孔を設けず、ベース等の他の部分にネジ孔を設ける。盛上部を設けずに突出部を設けたり、突出部を設けずに盛上部を設けたりする。又、本発明を、スチールケース以外の他の金属製ケースに適用する。
【符号の説明】
【００２８】
１・・スチールケース（収納箱）、２・・本体、４・・蓋、１０・・ラッチ、１２・・上ラッチ部材（蓋側ラッチ部材）、１４・・下ラッチ部材（本体側ラッチ部材）、１６・・ネジ、２２・・上ネジ孔部（突出部）、２４・・鉤部（一方の掛部）、４２・・下ネジ孔部（突出部）、５８・・ループ（他方の掛部）、６１・・下スライド溝、６４・・下溝、６６・・下盛上部（溝の周囲）、７１・・上スライド溝、７４・・上溝、７６・・上盛上部（溝の周囲）。
【図１】
2013086834.tif 000003
【図２】
2013086834.tif 000004
【図３】
2013086834.tif 000005
【図４】
2013086834.tif 000006
【図５】
2013086834.tif 000007
【図６】
2013086834.tif 000008